(57)【要約】【課題】機種変更を容易に行うことができる遊技機を提供することを目的とする。【解決手段】複数の図柄を備えた回転体１００は、第１基材と第２基材との間に挟持された電子インク層中の帯電粒子を移動させて色を変化させることにより複数の図柄を表示する電子ペーパ９８を備えているので、電子ペーパ９８に表示させていた複数の図柄を新たな図柄に書き換えて表示させることができる。したがって、機種変更等する場合においても、回転体１００の図柄を新たな図柄に書き換え変更することができ、回転体自体を新たな回転体に交換するという部品交換を不要とすることができることから、機種変更を容易に行うことができる。【選択図】　　　図３
2004081826.tif 000002
【特許請求の範囲】
【請求項１】
複数の識別情報を備えた回転体を始動条件の成立に基づいて作動させ、前記回転体を停止条件の成立に基づいて停止させるよう構成された遊技機において、
前記回転体は、第１部材と第２部材との間に挟持された表示層中の帯電粒子を移動させて色を変化させることにより前記複数の識別情報を表示する表示手段を備えていることを特徴とする遊技機。
【発明の詳細な説明】
【請求項２】請求項１に記載の遊技機において、
前記表示手段は電子ペーパであることを特徴とする遊技機。
【請求項３】請求項２に記載の遊技機において、
前記電子ペーパは、前記回転体に環状に取り付けられていることを特徴とする遊技機。
【請求項４】請求項１から３のいずれかに記載の遊技機において、
前記表示手段は、第１部材と第２部材との間に挟持された表示層中に複数のカプセルを備え、前記カプセル内で帯電粒子が移動することにより色が変化して前記複数の識別情報を表示するものであることを特徴とする遊技機。
【請求項５】請求項４に記載の遊技機において、
前記表示手段は、前記第１部材または第２部材のいずれか一方に、前記表示層に印加する電界を形成する複数個の画素電極と、前記画素電極ごとに設けられた、前記画素電極による前記電界の形成と消失とを切り替える切替素子とを備え、その他方に、前記画素電極とともに前記電界を形成するための共通電極を備え、さらに、前記表示手段は、外部機器から出力された制御信号を受信する受信手段と、前記受信手段で受信した制御信号に応じて前記複数個の切替素子を駆動制御する駆動制御手段とを備えていることを特徴とする遊技機。
【０００１】
【発明の属する技術分野】
本発明は、パチンコ機やスロットマシン等の遊技機に関する。
【０００２】
【従来の技術】
従来、始動条件が成立することに基づいて、複数の図柄列が変動を開始し停止スイッチが押されることにより、図柄列が停止し、この停止した図柄が所定の大当り図柄であった場合に、遊技者にとって有利な遊技状態となるスロットマシン等の遊技機がある。
【０００３】
【発明が解決しようとする課題】
しかしながら、このような構成を有する従来例の場合には、次のような問題がある。
すなわち、従来のスロットマシンにおける図柄列は、帯状のフィルムに複数の図柄を印刷して環状としたものを複数列並設することで構成されており、機種変更に際しては、使用していたフィルムを廃棄して新機種用の新たなフィルムに交換することになるので、例えば旧機種のフィルムという廃棄部品が発生するという問題がある。また、機種変更に際しては、このフィルムを取り外す為の分解作業および新たなフィルムに交換して組み立てる交換作業が必要であることから、機種変更に伴う作業が煩雑であるという問題もある。
【０００４】
本発明は、このような事情に鑑みてなされたものであって、機種変更に伴う廃棄部品の発生を低減することができる遊技機を提供することを目的の１つとする。また、本発明は、機種変更を容易に行うことができる遊技機を提供することを目的の１つとする。
【０００５】
【課題を解決するための手段】
本発明は、このような目的を達成するために、次のような構成を採る。
すなわち、請求項１に記載の発明は、複数の識別情報を備えた回転体を始動条件の成立に基づいて作動させ、前記回転体を停止条件の成立に基づいて停止させるよう構成された遊技機において、前記回転体は、第１部材と第２部材との間に挟持された表示層中の帯電粒子を移動させて色を変化させることにより前記複数の識別情報を表示する表示手段を備えていることを特徴とするものである。
【０００６】
（作用・効果）請求項１に記載の発明によれば、複数の識別情報を備えた回転体は、第１部材と第２部材との間に挟持された表示層中の帯電粒子を移動させて色を変化させることにより複数の識別情報を表示する表示手段を備えているので、表示手段に表示させていた複数の識別情報を新たな識別情報に書き換えて表示させることができる。したがって、機種変更等する場合においても、回転体の識別情報を新たな識別情報に書き換え変更することができ、回転体自体を新たな回転体に交換するという部品交換を不要とすることができることから、回転体を構成する部品等を廃棄することなくこの回転体を新たな表示態様で継続使用することができ、機種変更に伴う廃棄部品の発生を低減することができる。また、回転体自体を新たな回転体に交換するという部品交換を不要とすることができることから、機種変更を容易に行うことができる。その結果、機種変更に対して柔軟に対応でき、遊技機の自由度を向上させることができる。
【０００７】
なお、本明細書は、次のような遊技機に係る発明も開示している。
【０００８】
（１）　請求項１に記載の遊技機において、
前記表示手段は電子ペーパであることを特徴とする遊技機。
【０００９】
前記（１）に記載の発明によれば、表示手段を電子ペーパとしているので、電子ペーパに表示させていた複数の識別情報を新たな識別情報に書き換えて表示させることができる。したがって、機種変更等する場合においても、回転体の識別情報を新たな識別情報に書き換え変更することができ、回転体自体を新たな回転体に交換するという部品交換を不要とすることができることから、回転体を構成する部品等を廃棄することなくこの回転体を新たな表示態様で継続使用することができ、機種変更に伴う廃棄部品の発生を低減することができる。また、回転体自体を新たな回転体に交換するという部品交換を不要とすることができることから、機種変更を容易に行うことができる。その結果、機種変更に対して柔軟に対応でき、遊技機の自由度を向上させることができる。
【００１０】
（２）　前記（１）に記載の遊技機において、
前記電子ペーパは、前記回転体に環状に取り付けられていることを特徴とする遊技機。
【００１１】
前記（２）に記載の発明によれば、電子ペーパは視野角依存性がないので横からでも見やすく、回転体に環状に取り付けられている場合であっても、複数の識別情報を表示するための回転体として好適に使用することができる。
【００１２】
（３）　前記（２）に記載の遊技機において、
前記電子ペーパは、複数列の回転体ごとに設けられていることを特徴とする遊技機。
【００１３】
前記（３）に記載の発明によれば、電子ペーパは複数列の回転体ごとに設けられており、電子ペーパは視野角依存性がなく横からでも見やすいので、識別情報の変動表示結果を遊技者に視認させるための識別情報表示手段を好適に構成することができる。
【００１４】
（４）　請求項１に記載の遊技機、または、前記（１）から（３）のいずれかに記載の遊技機において、
前記表示手段は、第１部材と第２部材との間に挟持された表示層中に複数のカプセルを備え、前記カプセル内で帯電粒子が移動することにより色が変化して前記複数の識別情報を表示するものであることを特徴とする遊技機。
【００１５】
前記（４）に記載の発明によれば、表示手段は、第１部材と第２部材との間に挟持された表示層中に複数のカプセルを備え、カプセル内で帯電粒子が移動することにより色が変化して複数の識別情報を表示するものとしている。このようなタイプの表示手段を採用することでも、表示手段に表示させていた複数の識別情報を新たな識別情報に書き換えて表示させることができる。したがって、機種変更等する場合においても、回転体の識別情報を新たな識別情報に書き換え変更することができ、回転体自体を新たな回転体に交換するという部品交換を不要とすることができることから、回転体を構成する部品等を廃棄することなくこの回転体を新たな表示態様で継続使用することができ、機種変更に伴う廃棄部品の発生を低減することができる。また、回転体自体を新たな回転体に交換するという部品交換を不要とすることができることから、機種変更を容易に行うことができる。その結果、機種変更に対して柔軟に対応でき、遊技機の自由度を向上させることができる。
【００１６】
（５）　前記（４）に記載の遊技機において、
前記表示手段は、前記第１部材または第２部材のいずれか一方に、前記表示層に印加する電界を形成する複数個の画素電極と、前記画素電極ごとに設けられた、前記画素電極による前記電界の形成と消失とを切り替える切替素子とを備え、その他方に、前記画素電極とともに前記電界を形成するための共通電極を備え、さらに、前記表示手段は、外部機器から出力された制御信号を受信する受信手段と、前記受信手段で受信した制御信号に応じて前記複数個の切替素子を駆動制御する駆動制御手段とを備えていることを特徴とする遊技機。
【００１７】
前記（５）に記載の発明によれば、表示手段は、第１部材または第２部材のいずれか一方に、表示層に印加する電界を形成する複数個の画素電極と、この画素電極ごとに設けられた、画素電極による電界の形成と消失とを切り替える切替素子とを備え、その他方に、画素電極とともに電界を形成するための共通電極を備え、さらに、この表示手段は、外部機器から出力された制御信号を受信する受信手段と、この受信手段で受信した制御信号に応じて複数個の切替素子を駆動制御する駆動制御手段とを備えている。したがって、例えば機種変更などのように表示手段の表示内容を変更しようとする場合には、外部機器からの制御信号をこの表示手段の受信手段で受信するだけでよく、この受信した制御信号に応じて表示手段を新たな複数の識別情報に書き換えて表示することができることから、機種変更をさらに容易に行うことができる。また、回転体の識別情報を新たな識別情報に書き換え変更することができ、回転体自体を新たな回転体に交換するという部品交換を不要とすることができることから、回転体を構成する部品等を廃棄することなくこの回転体を新たな表示態様で継続使用することができ、機種変更に伴う廃棄部品の発生を低減することができる。
【００１８】
（６）　前記（５）に記載の遊技機において、
前記受信手段は、前記外部機器との接続が可能なコネクタ部と、前記コネクタ部と前記駆動制御手段とを接続する配線部とを備えていることを特徴とする遊技機。
【００１９】
前記（６）に記載の発明によれば、受信手段は、外部機器との接続が可能なコネクタ部と、コネクタ部と駆動制御手段とを接続する配線部とを備えているので、外部機器をコネクタ部に接続して制御信号を受信することができ、この受信した制御信号に応じて表示手段を新たな複数の識別情報に書き換えて表示することができ、機種変更を容易に行うことができる。また、回転体の識別情報を新たな識別情報に書き換え変更することができ、回転体自体を新たな回転体に交換するという部品交換を不要とすることができることから、回転体を構成する部品等を廃棄することなくこの回転体を新たな表示態様で継続使用することができ、機種変更に伴う廃棄部品の発生を低減することができる。
【００２０】
（７）　請求項１に記載の遊技機、または、前記（１）から（４）のいずれかに記載の遊技機において、
前記表示手段内に電界を生じさせる電界印加ヘッドと、前記表示手段内に画像データに応じた電界が生じるように前記電界印加ヘッドを制御する制御手段とを用いて、前記表示手段に所望の識別情報を表示させることを特徴とする遊技機。
【００２１】
前記（７）に記載の発明によれば、表示手段内に電界を生じさせる電界印加ヘッドと、表示手段内に画像データに応じた電界が生じるように電界印加ヘッドを制御する制御手段とを用いて、表示手段に所望の識別情報を表示させるので、例えば機種変更などのように表示手段の表示内容を変更しようとする場合には、これらの電界印加ヘッドおよび制御手段を用いることで、表示手段を新たな複数の識別情報に書き換えて表示することができ、回転体自体を新たな回転体に交換するという部品交換を不要とすることができることから、機種変更を容易に行うことができる。また、回転体の識別情報を新たな識別情報に書き換え変更することができ、回転体自体を新たな回転体に交換するという部品交換を不要とすることができることから、回転体を構成する部品等を廃棄することなくこの回転体を新たな表示態様で継続使用することができ、機種変更に伴う廃棄部品の発生を低減することができる。また、表示手段自体に、その表示層に画素ごとに電界を印加するためのマトリクス回路などを備える必要がなく、表示手段生成工程の複雑化を低減できる。
【００２２】
（８）　前記（７）に記載の遊技機において、
前記表示手段と前記電界印加ヘッドとを相対的に移動させる移動手段を備え、前記制御手段は、前記移動手段を制御するとともに、前記表示手段内に画像データに応じた電界が生じるように前記電界印加ヘッドを制御することを特徴とする遊技機。
【００２３】
前記（８）に記載の発明によれば、移動手段は、表示手段と電界印加ヘッドとを相対的に移動させ、制御手段は、移動手段を制御するとともに、表示手段内に画像データに応じた電界が生じるように電界印加ヘッドを制御するので、表示手段表面を走査するようにしてこの表示手段を新たな複数の識別情報に書き換えて表示することができる。
【００２４】
（９）　請求項１に記載の遊技機、または、前記（１）から（８）のいずれかに記載の遊技機において、
前記表示手段はカラー表示が可能なものであることを特徴とする遊技機。
【００２５】
前記（９）に記載の発明によれば、表示手段はカラー表示が可能なものとしているので、視野角依存性がないので横からでも見やすく、複数の識別情報を表示するための回転体として好適に使用することができる。
【００２６】
（１０）請求項１に記載の遊技機、または、前記（１）から（９）のいずれかに記載の遊技機において、
前記遊技機はスロットマシンであることを特徴とする遊技機。
【００２７】
前記（１０）に記載の遊技機によれば、機種変更に伴う廃棄部品の発生を低減することができ、機種変更を容易に行うことができるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００２８】
（１１）請求項１に記載の遊技機、または、前記（１）から（９）のいずれかに記載の遊技機において、
前記遊技機はパチンコ機であることを特徴とする遊技機。
【００２９】
前記（１１）に記載の遊技機によれば、機種変更に伴う廃棄部品の発生を低減することができ、機種変更を容易に行うことができるパチンコ機を提供できる。なお、パチンコ機の基本構成としては操作ハンドルを備え、その操作ハンドルの操作に応じて遊技用媒体としての球を所定の遊技領域発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３０】
（１２）請求項１に記載の遊技機、または、前記（１）から（９）のいずれかに記載の遊技機において、
前記遊技機はパチンコ機とスロットマシンとを融合させたものであることを特徴とする遊技機。
【００３１】
前記（１２）に記載の遊技機によれば、機種変更に伴う廃棄部品の発生を低減することができ、機種変更を容易に行うことができる、パチンコ機とスロットマシンとを融合させたものを提供できる。なお、この融合させたものの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００３２】
【発明の実施の形態】
以下、図面を参照して本発明の実施例を説明する。
本実施例では、遊技機の一例としてスロットマシンを用いて説明する。なお、本発明を弾球遊技機の一種であるパチンコ機、特に、第１種パチンコ遊技機や第３種パチンコ遊技機（権利物とも呼ばれる）、コイン遊技機等の他の遊技機に用いることは、当然に可能である。
【００３３】
（第１実施例）
図１は、本発明の第１実施例のスロットマシンの前面扉を閉じた状態の斜視図であり、図２はスロットマシンの前面扉を開いた状態の斜視図である。本第１実施例のスロットマシン１０は、前面扉１２がその左辺を回転軸として本体１１に回動可能に取り付けられ、前面扉１２を閉じた状態で施錠装置２０により前面扉１２と本体１１とを施錠可能である。
【００３４】
前面扉１２には、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、左回胴装置Ｌと中回胴装置Ｍと右回胴装置Ｒのそれぞれの所定範囲が透視可能な遊技パネル３０と、略中段付近にて各種ボタン５１，５３〜５６，６１〜６３やスタートレバー５２やメダル投入口５７が設けられた操作部５０と、機種名や遊技に関わるキャラクタなどが表示された下段プレート１６と、メダル払出口１７から払い出された遊技用媒体としてのメダルを受けるメダル受け皿１８とが装着されている。
【００３５】
また、スロットマシン１０の内部には、オンされるとスロットマシン１０の各部に電源を供給する電源スイッチ８１や、スロットマシン１０をリセットするときに操作するリセットスイッチ８２や、図示しない設定キーを挿入することにより、スロットマシン１０の設定状態を変更可能にする設定キー挿入孔８３などを備えている電源ボックス８５や、溢れるメダルの外部への誘導興９を有し投入されたメダルを貯留する補助タンク８７とこの補助タンク８７内のメダルを払出用通路９２に通じる開口９３を介してメダル払出口１７へ払い出す払出装置８８とから構成されているホッパ８６や、ＣＰＵを中心とするマイクロコンピュータとして構成されており処理プログラムを記憶するＲＯＭや一時的にデータを記憶するＲＡＭや入出力処理回路がバスによって接続されている主制御装置７０や、この主制御装置７０を収納する主基板ケース７１や、ＣＰＵを中心とするマイクロコンピュータとして構成されており主制御装置７０からの出力信号による液晶ディスプレイ１５の表示内容の制御を行う表示用制御装置９４が装着されている。
【００３６】
遊技パネル３０は、左回胴装置Ｌ、中回胴装置Ｍ、右回胴装置Ｒの停止中または回転中の様子を外部に露出する露出窓３１Ｌ，３１Ｍ，３１Ｒを備え、露出窓３１Ｌの左側に配設された５つのベットランプ３２，３３，３３，３４，３４と、この露出窓３１Ｌ，３１Ｍ，３１Ｒの下側に配設されている、スロットマシン内部に貯留されている枚数を表示するものであるクレジット枚数表示部３５と、ビックボーナス時にあと何回ＪＡＣ（ジャック）インできるかとかＪＡＣゲーム時にあと何回ＪＡＣ図柄成立が残っているかといった回数を表示するものであるゲーム数表示部３６と、有効ライン上に同じ図柄が揃って入賞したときに払い出された枚数を表示するものである払出枚数表示部３７とを備えている。
【００３７】
操作部５０は、前面扉１２の前面部に設けられたクレジットボタン５１、スタートレバー５２、左回胴用ストップボタン５３、中回胴用ストップボタン５４、右回胴用ストップボタン５５、および返却ボタン５６と、前面扉１２の水平段部に設けられたメダル投入口５７、１枚ベットボタン６１、２枚ベットボタン６２およびマックスベットボタン６３とを備えている。
【００３８】
図３は、各回胴装置Ｌ，Ｍ，Ｒの分解斜視図であり、図４は各回胴装置Ｌ，Ｍ，Ｒの中を正面から見た説明図であり、図５は各回胴装置Ｌ，Ｍ，Ｒの被動プーリ１３２と駆動プーリ１４８を中心として示す部分拡大図である。各回胴装置Ｌ，Ｍ，Ｒは、同一の構成をしており、図示するように、２１個の識別情報としての図柄が均等に表示された単円筒形状の電子ペーパ９８を同一形状に形成された二つの支持枠１０４の外周部で保持して構成される回転体１００と、この回転体１００を二つのボールベアリング１０９を用いて回転可能に支持する給電ライン用の溝が形成された支持軸１１０と、回転体１００の内側から正面側に向けて３個分の図柄に照明を施す光源１３３を支持軸１１０に取り付ける第１取付部材１３４と、この第１取付部材１３４に第２取付部材１３６を用いて取り付けられたステッピングモータ１４０と、回胴装置Ｌ，Ｍ，Ｒの枠体をなし支持軸１１０をフランジ１１６，１１８を用いて回転不能に取り付け固定する左右の側板１１２，１１４とを備える。なお、電子ペーパ９８の詳細については後述することとする。
【００３９】
回転体１００の２つの支持枠１０４は、樹脂により射出成形により形成されており、外周部の円環部１０５と、回転中心から放射状に外周部に延びて円環部１０５を支持する４本の放射支持部１０６とから構成されている。円環部１０５の電子ペーパ９８を保持する側には、電子ペーパ９８の厚みと略同一の溝１０７が形成されており、この溝１０７に電子ペーパ９８を嵌め込むようにして電子ペーパ９８が取り付けられている。４本の放射支持部１０６の１本には、回転位置を検出するための突起１０８が設けられており、側板１１４に取り付けられたセンサ取付台１２０の回転体１００側に取り付けられた位置検出センサ１２２により回転体１００の回転位置が検出できるようになっている。なお、位置検出センサ１２２としては、例えば、フォトセンサを用いることができる。
【００４０】
また、回転体１００の一方の支持枠１０４の放射支持部１０６の内側には、プーリ取付部材１３０によりアルミニウムにより形成された歯車として機能する被動プーリ１３２が取り付けられている。
【００４１】
ステッピングモータ１４０は、ワンステップが１５度の回転角度を有する１回転２４ステップの一般的なステッピングモータとして構成されており、その駆動軸１４２には、ギア比１：２の減速ギア１４６を介して歯車として機能する駆動プーリ１４８が取り付けられている。この減速ギア１４６を用いることにより、ステッピングモータ１４０を４８ステップ回転駆動することによって駆動プーリ１４８を１回転させることができるようにしている。すなわち、駆動プーリ１４８はステッピングモータ１４０のワンステップにより７．５度回転することになる。なお、ステッピングモータ１４０には、図４に示すように回転体１００の回転中心に配置された支持軸１１０の軸方向の溝に配置された給電ライン１４５および給電ライン１４４を介して回転体１００の外部から電力が供給されるようになっている。
【００４２】
ステッピングモータ１４０の駆動軸１４２に取り付けられた駆動プーリ１４８と回転体１００の支持枠１０４に取り付けられた被動プーリ１３２とには、図５の拡大説明図に示すように、若干の弾性を示す合成ゴムなどの材料により形成されたシンクロベルト１５０が若干のアソビをもって架けられている。シンクロベルト１５０は、内側に形成された複数の凹凸により駆動プーリ１４８や被動プーリ１３２の外周部に形成された歯に噛合し、ステッピングモータ１４０の回転駆動力を滑ることなく回転体１００に伝達する。なお、実施例では、駆動プーリ１４８と被動プーリ１３２は歯数比が１：７となるように形成されている。これは、ステッピングモータ１４０を１６ステップ駆動することにより回転体１００の電子ペーパ９８に表示された図柄１個分に相当する回転角度だけ回転体１００を回転駆動させるためである。
【００４３】
駆動プーリ１４８と被動プーリ１３２の歯数比ｘ（被動プーリ１３２の歯数／駆動プーリ１４８の歯数）と、回転体１００の電子ペーパ９８に均等に表示された図柄の数Ｑと、ステッピングモータ１４０のステップ数Ｓと、図柄一つ分に相当する回転角度だけ回転体１００を回転させるステップ数ｎとの関係は、減速ギア１４６がないものとすれば次式（１）により表すことができ、減速ギア１４６のギア比Ｇを考慮すれば式（２）により表すことができる。
【００４４】
ｘ・Ｓ＝ｎ・Ｑ　　…（１）
ｘ・Ｓ・Ｇ＝ｎ・Ｑ　　…（２）
【００４５】
したがって、式（１）または式（２）の関係を満たす歯数比ｘとなるよう駆動プーリ１４８および被動プーリ１３２を用いれば、ステッピングモータ１４０のステップ数Ｓや電子ペーパ９８に均等に表示された図柄の数Ｑは如何なるものでもよい。実施例では、減速比２（２：１）の減速ギア１４６が取り付けられたステップ数２４のステッピングモータ１４０、言い換えればステップ数４８のステッピングモータ１４０を用いて２１個の図柄が均等配列された回転体１００を図柄毎に回転駆動および停止ができるよう歯数比７（１：７）の駆動プーリ１４８と被動プーリ１３２を用いている。これによりステッピングモータ１４０の１６ステップの回転駆動により回転体１００の電子ペーパ９８に表示された図柄を１個分だけ回転させることができる。
【００４６】
次に、図６，図７を用いて電子ペーパ９８の構造について詳細に説明する。図６は、電子ペーパ９８の構成例を示す断面図、図７は、図６に示す電子ペーパ９８のマイクロカプセルを示す断面図である。
【００４７】
この実施例での電子ペーパ９８は、元々は帯状で長方形状のものであるが、図３に示すように、その長手方向の両端を繋ぎ合せて、あるいは、その両端の一部を重ねるようにして繋ぎ合わせて、単円筒形状としており、柔軟性を有するものである。
【００４８】
なお、図６に示す電子ペーパ９８は、電気泳動（Ｅｌｅｃｔｒｏｐｈｏｒｅｓｉｓ　）を利用した、表示パターンの書き換えや消去が可能な表示手段（表示媒体）である。
【００４９】
この電子ペーパ９８は、可撓性を有するシート状の第１基材２２１と、可撓性を有するシート状の第２基材２２０と、この第１基材２２１と第２基材２２０との間に形成された電子インク層２２２とで構成されている。電子インク層２２２の図６中上側の面が、表示パターンが表示される表示面２２２Ａとなっている。
【００５０】
電子インク層２２２は、光透過性を有する（透明な）バインダ２２３と、このバインダ２２３中に均一に分散した状態で固定されている複数のマイクロカプセル２２４とで構成されている。電子インク層２２２の厚さａは、マイクロカプセル２２４の外径（直径）ｂの１．５〜２倍程度が好ましい。また、バインダ２２３としては、例えば、ポリビニルアルコール等を用いることができる。
【００５１】
図７に示すように、マイクロカプセル２２４は、中空の球状の光透過性を有するカプセル本体２２５を有している。このカプセル本体２２５内には、液体（溶媒）２２６が充填されており、この液体２２６中には、負に帯電した複数の帯電粒子２２７が分散している。帯電粒子２２７は、核２２８と、この核２２８を被覆する被覆層２２９とで構成されている帯電粒子２２７および液体２２６の色は、互いに異なるように設定される。例えば、帯電粒子２２７の色は、白色とされ、液体２２６の色は、青色、赤色、緑色またはは黒色とされる。こうすることでカラー表示することができる。
【００５２】
マイクロカプセル２２４に外部電界（電場）を印加すると、帯電粒子２２７は、カプセル本体２２５内で、前記電界の方向と逆方向に移動する。
【００５３】
例えば、マイクロカプセル２２４の図８中上側（表示面２２２Ａ側）に正に帯電した電極が位置すると、図８中下側に向って電界が生じ、これにより、帯電粒子２２７は、カプセル本体２２５内の図８中上側に移動（浮上）する。この帯電粒子２２７により、マイクロカプセル２２４の図８中上側の色は、白色になる。
【００５４】
逆に、マイクロカプセル２２４の図９中上側に負に帯電した電極が位置すると、図９中上側に向って電界が生じ、これにより、帯電粒子２２７は、カプセル本体２２５内の図９中下側に移動（沈下）する。この場合には、カプセル本体２２５内の図９中上側に液体２２６が位置するので、液体の色が青色ならば、マイクロカプセル２２４の図９中上側の色は、青色になる。
【００５５】
また、マイクロカプセル２２４は、液体２２６の比重と帯電粒子２２７の比重とが等しくなるように構成されている。
【００５６】
これにより、帯電粒子２２７は、図８中上側または図９中下側に移動後、電界が消失しても、一定の位置に長期間位置することができ、マイクロカプセル２２４の図８，９中上側の色が白色、または液体の色、例えば青色に長期間保持される。すなわち、電子ペーパ９８の表示が、長期間保持される。
【００５７】
なお、液体２２６の比重と帯電粒子２２７の比重とを等しくするには、例えば、被覆層２２９の厚さｄ等を調節すればよい。マイクロカプセル２２４の外径ｂは、１８０μｍ以下が好ましく、１０〜２０μｍ程度がより好ましい。帯電粒子２２７の核２２８としては、例えば、ＴｉＯ２　（ルチル構造）等を用いることができる。また、帯電粒子２２７の被覆層２２９としては、例えば、ポリエチレン等を用いることができる。また、液体２２６としては、例えば、四塩化エチレンとイソパラフィンとに、アントラキン系染料を溶解したもの等を用いることができる。
【００５８】
なお、上述した第１基材２２１が本発明における第１部材に相当し、上述した第２基材２２０が本発明における第２部材に相当し、上述した電子インク層２２２が本発明における表示層に相当し、上述したマイクロカプセル２２４が本発明におけるカプセルに相当し、上述した電子ペーパ９８が本発明における表示手段に相当する。
【００５９】
第１基材２２１には、共通電極（下部電極）３２３が形成されている。また、第２基材２２０には、複数の画素電極（上部電極）を備えた回路基板３１３が形成されている。図１０は、回路基板３１３の回路構成を模式的に示す図である。図１０に示すように、この回路基板３１３は、可撓性（柔軟性）を有する樹脂製の基板２６１を有している。
【００６０】
この基板２６１上には、行列状に配置（配列）された複数の四角形の画素電極２６４と、各画素電極２６４の導通、非導通をそれぞれ切り替える複数の薄膜トランジスタ（ＴＦＴ）２６５と、各薄膜トランジスタ２６５のゲートに電圧（信号）を印加するゲートドライバ２６２と、各薄膜トランジスタ２６５のソースに電圧（信号）を印加するソースドライバ２６３と、図１０中横方向に延びる複数のゲートライン２７１と、図１０中縦方向に延びる複数のソースライン２８１とが、それぞれ形成されている。
【００６１】
１つの画素電極２６４が、１画素（ドット）に相当する。また、各画素電極２６４のピッチは、特に限定されないが、５００〜５０００ｄｐｉ（ドット／インチ）程度が好ましい。なお、画素電極２６４の形状が四角形に限定されないことは言うまでもない。また、画素電極２６４の配列のパターンは、行列状に限定されず、例えば、画素電極２６４がデルタ状に並んでいても差し支えない。
【００６２】
以下、図１０中、最も上側の横方向の配列を「第１行（１行目）」、上側からＮ番目の横方向の配列を「第Ｎ行（Ｎ行目）」と言う。また、図１０中、最も左側の縦方向の配列を「第１列（１列目）」、左側からＮ番目の縦方向の配列を「第Ｎ列（Ｎ列目）」と言う。
【００６３】
ゲートドライバ２６２には、図１０中横方向に延びる複数のゲートライン２７１が、それぞれ接続されている。また、ソースドライバ２６３には、図１０中縦方向に延びる複数のソースライン２８１が、それぞれ接続されている。そして、各薄膜トランジスタ２６５のゲートは、それぞれ、対応するゲートライン２７１に接続されている。また、各薄膜トランジスタ２６５のソースは、それぞれ、対応するソースライン２８１に接続されており、各薄膜トランジスタ２６５のドレインは、それぞれ、対応する画素電極２６４に接続されている。
【００６４】
ゲートドライバ２６２は、ゲートライン２７１を１行（ライン）ごとに順次走査する。例えば、「Ｎ行目のゲートライン２７１を走査する」とは、Ｎ行目のすべての薄膜トランジスタ２６５のゲートに走査時間（時間）ｔの間だけ電圧（走査電圧）を印加し、Ｎ行目のすべての薄膜トランジスタ２６５（薄膜トランジスタ６５のゲート）を走査時間ｔの間だけオンにすることを言う。このようにゲートドライバ２６２の役割は、Ｎ行目の次はＮ＋１行目、Ｎ＋１行目の次はＮ＋２行目と、順次走査すること、すなわち、順次、行単位で（１行ごとに）その行のすべての薄膜トランジスタ２６５を走査時間ｔの間だけオンさせることである。
【００６５】
ソースドライバ２６３は、データライン駆動回路とも呼ばれ、所定のゲートライン２７１に走査電圧が印加されたとき、すなわち、所定の行の薄膜トランジスタ２６５がすべてオンしたとき、画素電極２６４に、ソースライン２８１および前記薄膜トランジスタ２６５を介して制御信号（表示パターンを示す信号）に応じた電圧を印加する回路である。
【００６６】
所定のゲートライン２７１に走査電圧が印加されたときに、所定のソースライン２８１に前記電圧が印加されることにより、対応する画素電極２６４が導通する。これにより、例えば対応する画素電極２６４に所定の大きさ（例えばＶボルト）の電圧（電位）が印加された場合には、図１１に示すように、その画素電極２６４を正に帯電させることができる。なお、共通電極３２３の電位をＶ／２ボルトに設定しており、共通電極３２３に向って電界が形成される（生じる）。また、対応する画素電極２６４に所定の大きさ（例えば０ボルト）の電圧（電位）が印加された場合には、共通電極３２３の電位をＶ／２ボルトに設定しているので、図１２に示すように、その画素電極２６４を負に帯電させることができ、画素電極２６４に向って電界が形成される（生じる）。これにより、各画素電極２６４と共通電極３２３との間に方向の異なる２つの電界を選択的に形成し、表示パターンを表示する。なお、各画素電極２６４と共通電極３２３との間に方向の異なる２つの電界を選択的に形成することができることから、表示パターンがオーバーライト可能である。
【００６７】
画素電極２６４と共通電極３２３との間に印加される電圧（画素電極２６４と共通電極３２３の電位差）の大きさは、特に限定されないが、絶対値で、１０ボルト以上が好ましく、２０ボルト以上がより好ましい。
【００６８】
図１０に示すように、電子ペーパ９８は、ゲートドライバ２６２およびソースドライバ２６３に接続され、外部の制御手段２０７から制御信号を受信するためのコネクタ部２０８と、コネクタ部２０８とゲートドライバ２６２およびソースドライバ２６３をそれぞれ接続する配線部２０９とを備えている。なお、コネクタ部２０８は、図３に示すように、電子ペーパ９８の左側面の所定位置に一体的に設けられている。各薄膜トランジスタ２６５の駆動は、それぞれ、制御手段２０７により、ゲートドライバ２６２およびソースドライバ２６３を介して制御される。制御手段２０７は、通常、ロジック回路とメモリ回路等からなる集積回路で構成され、前記各薄膜トランジスタ２６５の制御を行う。
【００６９】
なお、上述した薄膜トランジスタ２６５が本発明における切替素子に相当し、上述したコネクタ部２０８および配線部２０９が本発明における受信手段に相当し、上述したゲートドライバ２６２およびソースドライバ２６３が本発明における駆動制御手段に相当する。
【００７０】
ここで、上述の第２基材２２０の画素電極２６４および第１基材２２１の共通電極３２３の電圧（電位）を制御する方法について、図１３を用いて説明する。図１３は、第２基材２２０の画素電極２６４および第１基材２２１の共通電極３２３の電圧（電位）と、それに対応する表示パターンとを示す図である。
【００７１】
この方法で、電子ペーパ９８に表示パターンを形成する場合には、共通電極３２３の電圧２４２を、画素電極２６４の電圧２４１の最高値と最低値との中間の値（中間値＝一定値）に設定する。すなわち、画素電極２６４の電圧２４１が０からＶボルトに変化する場合（最高値＝Ｖボルト、最低値＝０ボルトの場合）には、共通電極３２３の電圧２４２をＶ／２ボルトに設定する。
【００７２】
例えば、図１３に示す表示パターン２４３を電子ペーパ９８の所定の行に描画する場合、その行に対応する行の薄膜トランジスタ２６５のゲートがオンしているとき、それらの薄膜トランジスタ２６５のソースに、電圧パターン２４１ａで示す電圧、すなわち、０またはＶボルトの電圧を印加する。その際、共通電極３２３の電圧２４２を、電圧パターン２４２ａで示す電圧、すなわち、Ｖ／２ボルトに設定する。
【００７３】
このようにすると、例えば、（Ｎ−２）列目では、画素電極２６４の電圧２４１はＶボルトであり、共通電極３２３の電圧２４２はＶ／２ボルトであるので、電界は画素電極２６４から共通電極３２３に向って形成され、電子ペーパ９８の各帯電粒子２２７は、それぞれ、カプセル本体２２５内の図８中上側に移動し、電子ペーパ９８の表示面２２２Ａの色は白色になる。
【００７４】
逆に、（Ｎ−１）列目では、画素電極２６４の電圧２４１は０ボルトであり、共通電極３２３の電圧２４２はＶ／２ボルトであるので、電界は共通電極３２３から画素電極２６４に向って形成され、電子ペーパ９８の各帯電粒子２２７は、それぞれ、カプセル本体２２５内の図９中下側に移動し、電子ペーパ９８の表示面２２２Ａの色は青色になる。
【００７５】
以下、同様にして、Ｎ列目〜（Ｎ＋３）列目についても画素電極２６４の電圧２４１に従って、画素電極２６４と共通電極３２３との間に形成される電界の方向、すなわち、電子ペーパ９８の色が決まり、電子ペーパ９８の所定の行に表示パターン２４３を描画することができる。
【００７６】
このようにして、電子ペーパ９８の表示面２２２Ａの所定の部位（画素）の色は、画素電極２６４の電圧２４１のみによって一意的に決まるので、以前に電子ペーパ９８の表示面２２２Ａの色が何色になっていたかにかかわらず、電子ペーパ９８の各画素電極２６４と共通電極３２３を制御することで、その電子ペーパ９８に表示パターンを描画することができる（白と青のパターンが一意的に決まる）。すなわち、電子ペーパ９８に表示パターンをオーバーライトすることができ、電子ペーパ９８に、繰り返し、文字、数字、図形等の所定の表示パターンを描画することができる。
【００７７】
上述したように本第１実施例のスロットマシン１０によれば、複数（例えば２１個）の図柄（識別情報）を備えた回転体１００は、第１基材２２１と第２基材２２０との間に挟持された電子インク層２２２中の帯電粒子２２７を移動させて色を変化させることにより複数の図柄を表示する電子ペーパ９８を備えているので、電子ペーパ９８に表示させていた複数の図柄を新たな図柄に書き換えて表示させることができる。したがって、機種変更等する場合においても、回転体１００の図柄を新たな図柄に書き換え変更することができ、回転体自体を新たな回転体に交換するという部品交換を不要とすることができることから、回転体１００を構成する部品等を廃棄することなくこの回転体１００を新たな表示態様で継続使用することができ、機種変更に伴う廃棄部品の発生を低減することができる。また、回転体自体を新たな回転体に交換するという部品交換を不要とすることができることから、機種変更を容易に行うことができる。その結果、機種変更に対して柔軟に対応でき、遊技機の自由度を向上させることができる。
【００７８】
また、電子ペーパ９８は視野角依存性がないので横からでも見やすく、回転体１００に環状に取り付けられている場合であっても、複数の図柄を表示するための回転体１００として好適に使用することができる。
【００７９】
また、電子ペーパ９８は複数列の回転体１００ごとに設けられており、電子ペーパ９８は視野角依存性がなく横からでも見やすいので、図柄の変動表示結果を遊技者に視認させるための識別情報表示手段を好適に構成することができる。
【００８０】
また、電子ペーパ９８は、第１基材２２１と第２基材２２０との間に挟持された電子インク層２２２中に複数のマイクロカプセル２２４を備え、マイクロカプセル２２４内で帯電粒子２２７が移動することにより色が変化して複数の図柄を表示するものとしている。このようなタイプの電子ペーパ９８を採用することでも、電子ペーパ９８に表示させていた複数の図柄を新たな図柄に書き換えて表示させることができる。したがって、機種変更等する場合においても、回転体１００の図柄を新たな図柄に書き換え変更することができ、回転体自体を新たな回転体に交換するという部品交換を不要とすることができることから、回転体１００を構成する部品等を廃棄することなくこの回転体１００を新たな表示態様で継続使用することができ、機種変更に伴う廃棄部品の発生を低減することができる。また、回転体自体を新たな回転体に交換するという部品交換を不要とすることができることから、機種変更を容易に行うことができる。その結果、機種変更に対して柔軟に対応でき、遊技機の自由度を向上させることができる。
【００８１】
また、電子ペーパ９８は、第２基材２２０に、電子インク層２２２に印加する電界を形成する複数個の画素電極２６４と、この画素電極２６４ごとに設けられた、画素電極２６４による電界の形成と消失とを切り替える薄膜トランジスタ２６５とを備え、第１基材２２１に、画素電極２６４とともに電界を形成するための共通電極３２３を備え、さらに、この電子ペーパ９８は、外部機器から出力された制御信号を受信するためのコネクタ部２０８および配線部２０９と、このコネクタ部２０８および配線部２０９で受信した制御信号に応じて複数個の薄膜トランジスタ２６５を駆動制御するゲートドライバ２６２およびソースドライバ２６３とを備えている。したがって、例えば機種変更などのように電子ペーパ９８の表示内容を変更しようとする場合には、外部機器からの制御信号をこの電子ペーパ９８のコネクタ部２０８および配線部２０９で受信するだけでよく、この受信した制御信号に応じて電子ペーパを新たな複数の図柄に書き換えて表示することができることから、機種変更をさらに容易に行うことができる。また、回転体１００の図柄を新たな識別情報に書き換え変更することができ、回転体自体を新たな回転体に交換するという部品交換を不要とすることができることから、回転体１００を構成する部品等を廃棄することなくこの回転体１００を新たな表示態様で継続使用することができ、機種変更に伴う廃棄部品の発生を低減することができる。
【００８２】
（第２実施例）
次に、本発明の第２実施例のスロットマシンについて説明する。第２実施例のスロットマシンは、前述した第１実施例の電子ペーパ９８とは種類の異なる電子ペーパ４００を採用している点が大きく異なる。
【００８３】
この第２実施例のスロットマシンの電子ペーパ４００は、図１４に示すように、表示基板４４０と非表示基板４４２との間に、２色の粒子４３６、４３８を封入した粒子層４４３を備えている。表示基板４４０は、正孔輸送性フィルムより構成されている。この正孔輸送性フィルムとしては、例えば、ポリエチレン樹脂中に正孔輸送物質であるＮ−メチルカルバゾールジフェニルヒドラゾンを約４０重量％添加して均一に分散させた後、厚さ５０μｍ程度に成形したものや、ポリエチレン樹脂中に正孔輸送物質であるβ，β−ビス（メトキシフェニル）ビニルジフェニルヒドラゾンを約４０重量％添加して均一に分散させたものを電荷輸送性材料として厚さ５０μｍ程度に成形したものなどを使用できる。
【００８４】
一方、非表示基板４４２は、上記の電荷輸送性フィルム４４１に厚さ５０μｍ程度の電極層４４４を形成した２層構造のフィルムより構成されている。非表示基板４４２に使用される電荷輸送性フィルムとしては、表示基板４４０と同様に、正孔を輸送する正孔輸送性フィルムを使用してもよいし、電子を輸送する電子輸送性フィルム及び正孔と電子とを輸送するフィルムを使用することもできる。
【００８５】
また、表示基板４４０と非表示基板４４２との間には、スペーサ４４６が、例えば、約１００μｍの一定間隔毎に設けられており、このスペーサ４４６により、表示基板４４０と非表示基板４４２との距離が常に一定に保持されると共に、スペーサ４４６間にセルが形成されている。なお、このスペーサ４４６は、表示基板４４０及び非表示基板４４２の一方の基板に、例えば、スクリーン印刷により形成することができる。
【００８６】
表示基板４４０と非表示基板４４２との間のセルに封入された２色の粒子４３６、４３８のうち一方の粒子４３６は導電性の粒子であり、例えば、平均粒径２０μｍ、抵抗値１０−２Ω・ｃｍ程度のアモルファスカーボンよりなる黒色の真球状導電性粒子を使用できる。このアモルファスカーボンよりなる黒色の真球状導電性粒子は熱硬化性フェノール樹脂を炭素化焼成して得られる。
【００８７】
なお、この第２実施例で述べる導電性の粒子とは、基板との接触により電荷の移動を行なうことができるものである。この機能を有する材料は、たとえば、カーボンブラック、ニッケル、銀、金、錫、などの金属の粒子、あるいはそれらの材料を粒子表面に被覆、あるいは含有した粒子である。
【００８８】
また、２色の粒子のうち他方の粒子４３８は、隠蔽粒子としての役目を果たす絶縁性の白色粒子であり、例えば、粒径約２０μｍのジビニルベンゼンを主成分とする架橋共重合体からなる真球粒子を選択できる。
【００８９】
第２実施例では、これら２種類の粒子４３６、４３８を同量混合し、表示基板と非表示基板との間に充填率約５０％で封入している。なお、黒色粒子よりも白色粒子が多くなるよう封入してもよく、混合割合は適宜調整できる。
【００９０】
なお、黒色の導電性の粒子４３６の代わりに、色の３原色の導電性の粒子（例えば、イエロー、マゼンタ、シアン等に着色された導電性の粒子）を採用することで、カラー画像を表示することも可能である。
【００９１】
なお、上述した非表示基板４４２が本発明における第１部材に相当し、上述した表示基板４４０が本発明における第２部材に相当し、上述した粒子層４４３が本発明における表示層に相当し、上述した粒子４３６が本発明における帯電粒子に相当し、上述した電子ペーパ４００が本発明における表示手段に相当する。
【００９２】
図１５に示すように、第２実施例のスロットマシンとは別体である外部機器（画像形成装置）５００を用いることで、この第２実施例のスロットマシンの回転体の電子ペーパ４００の表示を書き換えることができる。図１５は外部機器５００を用いてスロットマシン１０の回転体１００の電子ペーパ４００を書き換える様子を示す模式図である。この外部機器は、電子ペーパ４００の画像データに対応する位置に電界を発生させる記録ヘッド５１０と、電子ペーパ４００に一様に電界を発生させるリフレッシュ電極５１２と、画像データに応じて記録ヘッド５１０に電圧を印加し、画像データに応じた電界が電子ペーパ４００に加えられるように印加電圧を制御する制御部５１８とを備えている。
【００９３】
制御部５１８は、回転体を回転させるためのステッピングモータ１４０に接続可能となっており、ステッピングモータ１４０を回転制御することで回転体を回転させることができる。
【００９４】
図１６（ａ）及び図１６（ｂ）に示すように、記録ヘッド５１０は、例えば、ゴムなどの弾性を有する材料から成る基板５３４と、断面が半楕円状で、直径が例えば１００μｍの外側に突出した略半球形の複数の電極５３２とから構成される。
【００９５】
基板５３４は弾性を有するため、例えば、電子ペーパ４００の表面に凹凸があっても凹凸に合わせて変形する。そのため、電子ペーパ４００との接触状態が常に良好となり、画像データを正確に反映した電界を電子ペーパ４００に加えることができる。
【００９６】
また、複数の電極５３２は、図１６（ａ）に示すように、記録面５３０となる基板５３４の１つの面にマトリックス状に配置されている。すなわち、電子ペーパ４００の幅方向（すなわち、主走査方向）に沿って所定間隔に１列に並べられた電極列を副走査方向に重ならないように複数列、例えば３列配置してマトリックス状としている。
【００９７】
各電極５３２には、図１６（ｂ）に示すように、ＤＣ電源５２４が接続制御部５２６を介して接続され、ＤＣ電圧が印加される。接続制御部５２６は、一端が電極５３２に接続され、かつ、他端がＤＣ電源５２４に接続された複数のスイッチで構成されている。
【００９８】
これらのスイッチは制御部５１８によりオンオフ制御され、制御部５１８からの指示に基いて画像データに応じた位置の電極５３２のみに電圧が印加されるように、ＤＣ電源５２４と電極５３２とを電気的に接続する。
【００９９】
また、リフレッシュ電極５１２は、弾性材料から構成された一対の弾性ローラから成る。この弾性ローラは、ゴムにカーボンブラックを添加して円筒状に成形した２つの導電性のゴムローラから構成され、ＤＣ電源（図示省略）に接続され、ＤＣ電圧を重畳した電圧が印加されている。
【０１００】
このリフレッシュ電極５１２は、電子ペーパ４００を挟持した状態で回転されることにより、電子ペーパ４００に対し、記録ヘッド５１０が画像データに応じて電子ペーパ４００に加える電界の方向と逆方向に一様な電界を加える。
【０１０１】
なお、上述した記録ヘッド５１０が本発明における電界印加ヘッドに相当し、上述したステッピングモータ１４０が本発明における移動手段に相当し、上述した制御部５１８が本発明における制御手段に相当する。
【０１０２】
ここで、このような構成の外部機器５００により、上記構成の電子ペーパ４００に画像を形成する場合について説明する。
【０１０３】
外部機器５００の制御部５１８は、図１５に示すように、ステッピングモータ１４０を回転制御することで、電子ペーパ４００を所定速度で連続的に回転駆動する。リフレッシュ電極５１２は、回転駆動する電子ペーパ４００に当接させることで、電子ペーパ４００の全面にわたって順次に電界を加えていく。これにより、表示基板４４０が負の電荷を帯び、非表示基板４４２から正の電荷が注入されて電子ペーパ４００内部の全ての黒色の粒子４３６が正に帯電されて表示基板４４０に引き付けられるので、電子ペーパ４００の表示基板４４０は全面が黒くなる。
【０１０４】
リフレッシュ電極５１２の後段には、記録ヘッド５１０が設けられているため、記録ヘッド５１０がリフレッシュ電極５１２を通過した電子ペーパ４００に対し、画像データに応じた位置に電界を加える。記録ヘッド５１０により、電界が加えられた領域の表示基板４４０は正の電荷を帯びるので、その部分に引き付けられていた正に帯電した黒色の粒子４３６が非表示基板４４２の方に移動する。したがって、表示基板４４０の黒色の粒子４３６が付着してない領域が白色となり、電子ペーパ４００に黒と白とのコントラストによる画像が形成される。
【０１０５】
なお、画像データに応じた位置は、ここでは黒色の粒子４３６を表示基板４４０から離れさせてその位置を白くすることにより画像とするため、画素を形成しない位置である。もちろん、リフレッシュ電極により正の電荷を与えて黒色の粒子４３６を表示基板４４０から離れさせた状態で、記録ヘッド５１０により負の電荷を与えて黒色の粒子４３６を表示基板４４０に付着させて画像を表示する場合は、画像データに応じた位置とは画素を形成する位置である。
【０１０６】
上述したように本第２実施例のスロットマシン１０によれば、電子ペーパ４００内に電界を生じさせる記録ヘッド５１０と、電子ペーパ４００内に画像データに応じた電界が生じるように記録ヘッド５１０を制御する制御部５１８とを用いて、電子ペーパ４００に所望の図柄を表示させるので、例えば機種変更などのように電子ペーパ４００の表示内容を変更しようとする場合には、これらの記録ヘッド５１０および制御部５１８を用いることで、電子ペーパ４００を新たな複数の図柄に書き換えて表示することができ、回転体自体を新たな回転体に交換するという部品交換を不要とすることができることから、機種変更を容易に行うことができる。また、回転体１００の図柄を新たな図柄に書き換え変更することができ、回転体自体を新たな回転体に交換するという部品交換を不要とすることができることから、回転体１００を構成する部品等を廃棄することなくこの回転体１００を新たな表示態様で継続使用することができ、機種変更に伴う廃棄部品の発生を低減することができる。また、電子ペーパ４００自体に、その粒子層４４３に画素ごとに電界を印加するためのマトリクス回路などを備える必要がなく、電子ペーパ生成工程の複雑化を低減できる。
【０１０７】
また、ステッピングモータ１４０は、電子ペーパ４００と記録ヘッド５１０とを相対的に移動させ、制御部５１８は、ステッピングモータ１４０を制御するとともに、電子ペーパ４００内に画像データに応じた電界が生じるように記録ヘッド５１０を制御するので、電子ペーパ４００表面を走査するようにしてこの電子ペーパ４００を新たな複数の図柄に書き換えて表示することができる。
【０１０８】
このように、外部機器５００を用いることで、電子ペーパ４００の表示を書き換えることができることから、この電子ペーパ４０には、前述の第１実施例の電子ペーパ９８のようなマトリクス回路（画素電極２６４や薄膜トランジスタ２６５やドライバ２６２，２６３などからなる回路）やコネクタ部２０８など（図１０参照）が不要であることは言うまでもない。
【０１０９】
本発明は、上記実施形態に限られることはなく、下記のように変形実施することができる。
【０１１０】
（１）上述の第１実施例では、図８，９に示すように、電気泳動を利用した電子ペーパに、複数の画素電極２６４と薄膜トランジスタ２６５とゲートドライバ２６２とソースドライバ２６３とを備えたマトリクス回路を設けているが、上述の第２実施例のようなトナータイプの電子ペーパ４００（図１４参照）や、その他のタイプの電子ペーパに上述のマトリクス回路を設けるようにしてもよい。
【０１１１】
（２）上述の第２実施例では、図１４に示すように、外部機器５００（記録ヘッド５１０や制御部５１８など）を用いることで、トナータイプの電子ペーパ４００の表示を書き換えるようにしているが、上述の第１実施例の電子ペーパ９８からマトリクス回路を除いたものや、その他のタイプの電子ペーパに対して、外部機器５００（記録ヘッド５１０や制御部５１８など）を用いることで、その電子ペーパの表示を書き換えるようにしてよい。
【０１１２】
（３）上述した第２実施例では、図２に示すようにスロットマシン１０の前面扉１２を開いた状態、つまり、回転体１００から電子ペーパ４００を取り外すことなく電子ペーパ４００の表示パターン（複数個の図柄の表示態様）を書き換えているが、回転体１００から電子ペーパ４００を取り外して、外部機器５００などにより電子ペーパ４００の表示パターン（複数個の図柄の表示態様）を書き換えるようにしてもよい。
【０１１３】
（４）上述した第１実施例では、第２基材２２０に上述のマトリクス回路を設けるようにしているが、第１基材２２１に上述のマトリクス回路を設けるようにしてもよい。
【０１１４】
（５）上述した第１実施例では、コネクタ部２０８および配線部２０９で外部機器からの制御信号を有線にて受信するようにしているが、コネクタ部２０８に替えて受信部を備えるようにして、外部機器からの制御信号を無線にて受信するようにしてもよい。
【０１１５】
（６）上述した第２実施例では、外部機器５００による電子ペーパ４００の表示の書き換えに際して、制御部５１８は、ステッピングモータ１４０を制御して回転体１００の電子ペーパ４００を回転駆動しているが、ステッピングモータ１４０とは別体である他のモータなどの移動手段を制御して回転体１００の電子ペーパ４００を回転駆動するようにしてもよい。
【０１１６】
（７）上述した各実施例では、表示手段として電子ペーパ９８，４００を採用しているが、第１部材と第２部材との間に挟持された表示層中の帯電粒子を移動させて色を変化させることにより複数の識別情報を表示する他の表示手段（表示用媒体など）を採用してもよい。
【０１１７】
（８）本発明を上記実施例とは異なるタイプの遊技機（例えば、パチンコ機等）に実施してもよい。例えば、弾球遊技機の一種であるパチンコ機、特に、第１種パチンコ遊技機や権利物とも呼ばれる第３種パチンコ遊技機などに実施してもよい。例えば、第３種パチンコ遊技機とは、一度大当たりすると、それを含めて複数回（例えば２回、３回）大当たり状態が発生するまで、大当たり期待値が高められるようなパチンコ機（通称、２回権利物、３回権利物と称される。）である。また、大当たり図柄が表示された後に、所定の領域に球を入賞されることを必要条件として特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１１８】
なお、パチンコ機の基本構成としては操作ハンドルを備え、その操作ハンドルの操作に応じて球を所定の遊技領域発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１１９】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１２０】
【発明の効果】
以上の説明から明らかなように、本発明によれば、複数の識別情報を備えた回転体は、第１部材と第２部材との間に挟持された表示層中の帯電粒子を移動させて色を変化させることにより複数の識別情報を表示する表示手段を備えているので、表示手段に表示させていた複数の識別情報を新たな識別情報に書き換えて表示させることができる。したがって、機種変更等する場合においても、回転体の識別情報を新たな識別情報に書き換え変更することができ、回転体自体を新たな回転体に交換するという部品交換を不要とすることができることから、機種変更を容易に行うことができるし、回転体を構成する部品等を廃棄することなくこの回転体を新たな表示態様で継続使用することができ、機種変更に伴う廃棄部品の発生を低減することができる。
【図面の簡単な説明】
【図１】本第１実施例のスロットマシンの前面扉を閉じた状態の斜視図である。
【図２】スロットマシンの前面扉を開いた状態の斜視図である。
【図３】各回胴装置の分解斜視図である。
【図４】各回胴装置の中を正面から見た説明図でである。
【図５】各回胴装置の被動プーリと駆動プーリを中心として示す部分拡大図である。
【図６】第１実施例の電子ペーパの構成例を示す断面図である。
【図７】第１実施例の電子ペーパのマイクロカプセルを示す断面図である。
【図８】第１実施例の電子ペーパの表示面が白色に見える場合の断面図である。
【図９】第１実施例の電子ペーパの表示面が青色に見える場合の断面図である。
【図１０】回路基板の回路構成を模式的に示す図である。
【図１１】第１実施例の電子ペーパの１画素分を示す側面図である。
【図１２】第１実施例の電子ペーパの１画素分を示す側面図である。
【図１３】第２基材の画素電極および第１基材の共通電極の電圧とそれに対応する表示パターンとを示す図である。
【図１４】第２実施例の電子ペーパの構成例を示す断面図である。
【図１５】外部機器を用いてスロットマシンの回転体の電子ペーパを書き換える様子を示す模式図である。
【図１６】（ａ）は記録ヘッドの記録面の電極の配置を示す上面図であり、（ｂ）は記録ヘッドに接続する電源について説明する概略図である。
【符号の説明】
９８　…　電子ペーパ（表示手段）
１００　…　回転体
２０８　…　コネクタ部（受信手段）
２０９　…　配線部（受信手段）
２２０　…　第２基材（第２部材）
２２１　…　第１基材（第１部材）
２２２　…　電子インク層（表示層）
２２４　…　マイクロカプセル（カプセル）
２２７　…　帯電粒子
２６２　…　ゲートドライバ（駆動制御手段）
２６３　…　ソースドライバ（駆動制御手段）
２６４　…　画素電極
２６５　…　薄膜トランジスタ（切替素子）
３２３　…　共通電極
４００　…　電子ペーパ（表示手段）
４４０　…　表示基板（第２部材）
４４２　…　非表示基板（第１部材）
４４３　…　粒子層（表示層）
４３６　…　粒子（帯電粒子）
５１０　…　記録ヘッド（電界印加ヘッド）
５１８　…　制御部（制御手段）
【図１】
2004081826.tif 000003
【図２】
2004081826.tif 000004
【図３】
2004081826.tif 000005
【図４】
2004081826.tif 000006
【図５】
2004081826.tif 000007
【図６】
2004081826.tif 000008
【図７】
2004081826.tif 000009
【図８】
2004081826.tif 000010
【図９】
2004081826.tif 000011
【図１０】
2004081826.tif 000012
【図１１】
2004081826.tif 000013
【図１２】
2004081826.tif 000014
【図１３】
2004081826.tif 000015
【図１４】
2004081826.tif 000016
【図１５】
2004081826.tif 000017
【図１６】
2004081826.tif 000018